(57)【要約】【課題】電源が供給されていない夜間等においても、開閉扉またはおよび遊技盤本体の鍵の不正施錠を検知する。【解決手段】外枠１０１および該外枠に対して開閉自在に配設された開閉扉９および遊技盤本体を備えた遊技機において、前記開閉扉９またはおよび遊技盤本体の鍵の施錠動作に基づき移動する移動部材４０１と、前記移動部材の位置を検出して定位置にあるのか、移動した位置にあるのかを検出する位置検出センサー４０２と、前記位置検出センサー４０２の出力に基づき前記開閉扉９またはおよび遊技盤本体の鍵の施錠を判定する判定回路を備える遊技機。【選択図】図４
2010029322.tif 000002
【特許請求の範囲】
【請求項１】
外枠および該外枠に対して開閉自在に配設された開閉扉および遊技盤本体を備えた遊技機において、
前記開閉扉またはおよび遊技盤本体の鍵の施錠動作に基づき移動する移動部材と、
前記移動部材の位置を検出して定位置にあるのか、移動した位置にあるのかを検出する位置検出センサーと、
前記位置検出センサーの出力に基づき前記開閉扉またはおよび遊技盤本体の鍵の施錠を判定する判定回路を備えた
ことを特徴とする遊技機。
【請求項２】
外枠および該外枠に対して開閉自在に配設された開閉扉および遊技盤本体を備えた遊技機において、
前記開閉扉またはおよび遊技盤本体の鍵の施錠動作に基づく回転動作によって動く移動部材と、
前記移動部材の位置を検出して定位置にあるのか、移動した位置にあるのかを検出する位置検出センサーと、
前記位置検出センサーの出力に基づき前記開閉扉またはおよび遊技盤本体の鍵の施錠を判定する判定回路を備えた
ことを特徴とする遊技機。
【請求項３】
外枠および該外枠に対して開閉自在に配設された開閉扉および遊技盤本体を備えた遊技機において、
前記開閉扉またはおよび遊技盤本体の鍵の施錠動作に基づく回転動作を直線動作に変換する変換機構を備え、前記変換機構によって変換された直線動作によって動く移動部材と、
前記移動部材の位置を検出して定位置にあるのか、移動した位置にあるのかを検出する位置検出センサーと、
前記位置検出センサーの出力に基づき前記開閉扉またはおよび遊技盤本体の鍵の施錠を判定する判定回路を備えた
ことを特徴とする遊技機。
【請求項４】
請求項１ないし請求項３のいずれかにおいて、
前記判定回路において前記移動部材が移動位置にあることが判定された時には、異常を報知する報知手段を備えた
ことを特徴とする遊技機。
【請求項５】
請求項１ないし請求項３のいずれかにおいて
前記判定回路において前記移動部材が定位置にあることを判定された時には、正常を報知する報知手段を備えた
ことを特徴とする遊技機。
【発明の詳細な説明】
【技術分野】
【０００１】
本発明は、外枠および該外枠に対して開閉自在に配設された開閉扉および遊技盤本体を備えた遊技機において、夜間における前記開閉扉またはおよび遊技盤本体の鍵の不正施錠を検知する遊技機に関するものである。
【背景技術】
【０００２】
従来の第１の遊技機においては、図２３に示されるように開閉自在の前面扉が上扉および下扉に分割された筐体を備え、下扉の裏面側上部に移動部材Ｉが設けられ、変更許可ボタンセンサから許可信号が出力されていない時において、設定変更操作が不正に行われた時にはソレノイドＳＬにより前記移動部材Ｉを移動させて、下扉の閉動作を阻止するものであった。
【特許文献１】特開２００７−１１７４１８
【０００３】
また従来の第２の遊技機においては、図２４に示されるように扉が開放されると、レールＲに移動可能に取り付けられた扉開放センサＳが駆動部によってレールＲに沿って移動されることにより、扉の開放を検知するものであった。
【特許文献２】特開２００６−１４９４８５
【発明の開示】
【発明が解決しようとする課題】
【０００４】
しかしながら、上記従来の第１の遊技機においては、昼間の開店時間内において、変更許可ボタンセンサから許可信号が出力されていない時に設定変更操作が不正に行われた時にはソレノイドＳＬにより前記移動部材Ｉを移動させて、下扉の閉動作を阻止するものであり、電源供給のない夜間における前記開閉扉またはおよび遊技盤本体の不正開閉を検知することは出来ないという問題があった。
【０００５】
また従来の第２の遊技機においては、昼間の開店時間内において、扉が開放されると、レールＲに移動可能に取り付けられた扉開放センサＳが駆動部によってレールＲに沿って移動されることにより、扉の開放を検知するものであり、駆動部への電源供給のない夜間における前記開閉扉またはおよび遊技盤本体の不正開閉を検知することは出来ないという問題があった。
【０００６】
そこで本発明者は、外枠および該外枠に対して開閉自在に配設された開閉扉および遊技盤本体を備えた遊技機において、夜間における前記開閉扉またはおよび遊技盤本体の鍵の施錠動作に連動して動く移動部材の位置を、翌朝電源投入がされた後、位置検出センサーによって、定位置にあるのか、移動した位置にあるのかを検出して、前記位置検出センサーの出力に基づき判定回路により前記開閉扉またはおよび遊技盤本体の鍵の施錠を判定するという本願発明の第１の基本的な技術的思想に着眼した。
【０００７】
さらに本発明者は、上述の着眼した基本的な技術的思想に基づき、研究開発を重ねた結果、夜間における前記開閉扉またはおよび遊技盤本体の鍵の不正施錠を検知するという目的を達成する本発明に到達した。
【課題を解決するための手段】
【０００８】
本発明（請求項１に記載の第１発明）の遊技機は、
外枠および該外枠に対して開閉自在に配設された開閉扉および遊技盤本体を備えた遊技機において、
前記開閉扉またはおよび遊技盤本体の鍵の施錠動作に基づき移動する移動部材と、
前記移動部材の位置を検出して定位置にあるのか、移動した位置にあるのかを検出する位置検出センサーと、
前記位置検出センサーの出力に基づき前記開閉扉またはおよび遊技盤本体の鍵の施錠を判定する判定回路を備えた
ものである。
【０００９】
本発明（請求項２に記載の第２発明）の遊技機は、
外枠および該外枠に対して開閉自在に配設された開閉扉および遊技盤本体を備えた遊技機において、
前記開閉扉またはおよび遊技盤本体の鍵の施錠動作に基づく回転動作によって動く移動部材と、
前記移動部材の位置を検出して定位置にあるのか、移動した位置にあるのかを検出する位置検出センサーと、
前記位置検出センサーの出力に基づき前記開閉扉またはおよび遊技盤本体の鍵の施錠を判定する判定回路を備えた
ものである。
【００１０】
本発明（請求項３に記載の第３発明）の遊技機は、
外枠および該外枠に対して開閉自在に配設された開閉扉および遊技盤本体を備えた遊技機において、
前記開閉扉またはおよび遊技盤本体の鍵の施錠動作に基づく回転動作を直線動作に変換する変換機構を備え、前記変換機構によって変換された直線動作によって動く移動部材と、
前記移動部材の位置を検出して定位置にあるのか、移動した位置にあるのかを検出する位置検出センサーと、
前記位置検出センサーの出力に基づき前記開閉扉またはおよび遊技盤本体の鍵の施錠を判定する判定回路を備えた
ものである。
【００１１】
本発明（請求項４に記載の第４発明）の遊技機は、
請求項１ないし請求項３のいずれかにおいて、
前記判定回路において前記移動部材が移動位置にあることが判定された時には、異常を報知する報知手段を備えた
ものである。
【００１２】
本発明（請求項５に記載の第５発明）の遊技機は、
請求項１ないし請求項３のいずれかにおいて
前記判定回路において前記移動部材が定位置にあることを判定された時には、正常を報知する報知手段を備えた
ものである。
【発明の効果】
【００１３】
上記構成より成る第１発明の遊技機は、外枠および該外枠に対して開閉自在に配設された開閉扉および遊技盤本体を備えた遊技機において、前記位置検出センサーにより前記開閉扉またはおよび遊技盤本体の鍵の施錠動作に基づき移動する前記移動部材の位置が定位置にあるのか、移動した位置にあるのかを検出し、前記判定回路により前記位置検出センサーの出力に基づき前記開閉扉またはおよび遊技盤本体の前記鍵の開施錠を判定することによって、夜間における前記開閉扉またはおよび遊技盤本体の前記鍵の不正施錠を確実に検知することにより、遊技盤に配設された釘への不正操作および制御基板の不正改造に対する処置を可能にするという効果を奏する。
【００１４】
上記構成より成る第２発明の遊技機は、外枠および該外枠に対して開閉自在に配設された開閉扉および遊技盤本体を備えた遊技機において、前記位置検出センサーにより前記開閉扉またはおよび遊技盤本体の鍵の施錠動作に基づく回転動作によって動く前記移動部材の位置が、定位置にあるのか、移動した位置にあるのかを検出し、前記判定回路により前記位置検出センサーの出力に基づき前記開閉扉またはおよび遊技盤本体の前記鍵の開施錠を判定することによって、少ない数の部品を用いて夜間における前記開閉扉またはおよび遊技盤本体の前記鍵の不正施錠を確実に検知することにより、遊技盤に配設された釘への不正操作および制御基板の不正改造に対する処置を可能にするという効果を奏する。
【００１５】
上記構成より成る第３発明の遊技機は、外枠および該外枠に対して開閉自在に配設された開閉扉および遊技盤本体を備えた遊技機において、前記位置検出センサーにより前記開閉扉またはおよび遊技盤本体の鍵の施錠動作に基づく回転動作を直線動作に変換する前記変換機構によって変換された直線動作によって動く前記移動部材の位置が、定位置にあるのか、移動した位置にあるのかを検出し、前記判定回路により前記位置検出センサーの出力に基づき前記開閉扉またはおよび遊技盤本体の前記鍵の開施錠を判定することによって、シンプルな動きを検知することにより前記開閉扉またはおよび遊技盤本体の前記鍵の不正施錠を確実に検知することにより、遊技盤に配設された釘への不正操作および制御基板の不正改造に対する処置を可能にするという効果を奏する。
【００１６】
上記構成より成る第４発明の遊技機は、前記第１発明ないし第３発明のいずれかにおいて、前記報知手段が、前記判定回路において前記移動部材が移動位置にあることが判定された時には、異常を報知するので、夜間における前記開閉扉またはおよび遊技盤本体の前記鍵の不正施錠があったことを確実に報知して、遊技盤に配設された釘への不正操作および制御基板の不正改造に対する処置を可能にするという効果を奏する。
【００１７】
上記構成より成る第５発明の遊技機は、前記第１発明ないし第３発明のいずれかにおいて、前記報知手段が、前記判定回路において前記移動部材が定位置にあることが判定された時には、正常を報知するので、夜間における前記開閉扉またはおよび遊技盤本体の不正施錠が無かったことを確実に報知して、遊技盤に配設された釘への不正操作および制御基板の不正改造の有無のチェックを不要にするという効果を奏する。
【発明を実施するための最良の形態】
【００１８】
以下本発明の最良の実施の形態につき実施例に基づき、図面を用いて説明する。
【実施例１】
【００１９】
本第１実施例のパチンコ遊技機は、図１に示されるように外枠１０１と、前記外枠１０１に対して揺動自在に付設された開閉扉９および遊技盤本体１００と、前記開閉扉９またはおよび前記遊技盤１００の開閉動作を支持するヒンジ部１０２と、鍵のロック機構５０を備えたパチンコ遊技機において、図２（ａ）ないし図５に示されるように前記開閉扉９の鍵の開錠動作に連動して移動する移動部材４０１と、前記移動部材４０１の位置を検出するための位置検出センサー４０２と、移動された前記移動部材４０１の位置を定位置に復帰させる復帰駆動手段４０３と、前記開閉扉９の開閉を検知する前記扉開閉検知手段４と、前記開閉扉９に配設された鍵のロック機構５０の開施錠を検知して、前記復帰駆動手段４０３の復帰駆動指令を出力するための開閉扉９の鍵のロック位置検出センサー５と、開閉扉９の電子ロック機構６と、電子ロック機構６のロック状態を検知する電子ロック検知手段７と、これらの検出センサーおよび検知手段からの入力情報に応じて営業時間中の正当な開閉扉９の鍵のロック機構５０の施錠かまたは営業時間外の不正な開閉扉９の鍵のロック機構５０の施錠かを判定する判定回路とを備えている。
【００２０】
鍵のロック機構５０は、図６に示されるように前記開閉扉９の前記ヒンジ部１０２と逆側に配設された鍵操作部５４と、前記開閉扉９に回転自在に支持され、前記鍵操作部５４の回転動作に応じて一体的に回転する円柱上の回転軸５５と、前記回転軸５５に固着された矩形部材によって構成され前記鍵操作部５４の操作による回転動作に連動して前記回転軸５５を介して一体的に回転し前記枠体１０１と係合してロックする係合部材５６とから成る。
【００２１】
移動機構は、図２（ａ）ないし図５に示されるように、前記鍵ロック機構５０の前記回転軸５５と一体的に配設されたロック部材５６の後方（図中前方）に一体的に配設され先端に歯部４１２が形成された回転部材４１１と、前記枠体１０１に回転自在に支持された支持軸４１３に配設され前記回転部材４１１の前記歯部４１２と噛み合う歯部を備えた歯車４１４と、前記支持軸４１３に配設され前記支持軸４１３が反時計方向に回転したときのみ反時計方向に回転する前記移動部材４０１としての外歯車４１８を備えた一方向歯車４１５とから成る
【００２２】
前記一方向歯車４１５は、前記支持軸４１３と一体的に形成され鋸歯状の歯部を備えた内歯車４１６と、前記内歯車４１６の鋸歯状の歯部に係合する係合片４１７と、内周面に係合片４１７を介挿する凹部４１８１が形成された前記外歯車４１８とから成り、ロック部材５６および回転部材４１１が図中時計方向に回転して鍵の施錠動作が行われる時は、前記歯車４１４および内歯車４１６が反時計方向に回転するため、前記係合片４１７が内歯車の鋸歯状の歯部に係合するので、前記係合片４１７を介して前記移動部材４０１としての前記一方向歯車４１５を構成する前記外歯車４１８が反時計方向に回転する。
【００２３】
前記ロック部材５６および前記回転部材４１１が図中反時計方向に回転して鍵の開錠動作が行われる時は、内歯車４１６が時計方向に回転すると内歯車４１６の鋸歯状の歯部の突起部が接触する度に前記係合片４１７が前記凹部内で外方に移動して係合を回避するので、前記係合片４１７が内歯車４１６の鋸歯状の歯部に係合しないため、前記外歯車４１８が時計方向に回転することはなく、静止している。
【００２４】
前記開閉扉９の鍵の施錠が行われる時は、前記外歯車４１８が反時計方向に回転するが、鍵の開錠動作が行われる時は、前記外歯車４１８が静止しており、前記外歯車４１８が時計方向に回転することはないので、前記外歯車４１８の反時計方向の回転を検知することにより、前記開閉扉９の鍵の施錠動作が行われたことを検知することが出来るのである。
【００２５】
前記位置検出センサー４０２は、図２（ａ）ないし図５に示されるように前記枠体１０１の図中前方に配設され、前記枠体１０１に配設されたスペーサー部材４２０と、一端が前記スペーサー部材４２０の一端に固着されたバネ材より成る薄板矩形状の揺動部材４２１と、図２および図３に示されるように前記揺動部材４２１の他端に回転自在に配設されたローラ状部材４２２とから成り、前記鍵操作部５４によって施錠動作される前において前記先端部を延長した当接部４１９との接触により前記ローラ状部材４２２が押圧され図中下方に退避しているので、前記ローラ状部材４２２を一端に支持する前記揺動部材４２１が他端を中心として図中時計方向に揺動されているので接点部材４２３が揺動されている前記揺動部材４２１に接触して図中下方へ押圧され、前記鍵のロック機構５０が施錠がされていないことを検知するように構成されている。
【００２６】
前記復帰駆動手段４０３は図２（ａ）ないし図５に示されるように前記歯車４１４に当接して配設された駆動歯車４３１と復帰駆動電流により前記駆動歯車４３１を作動させるステッピングモーター４３２とから成る。
【００２７】
前記扉開閉検知手段４は、図７および図８に示されるように前記外枠１０１の前記ヒンジ部１０２が配設された枠体側面とは反対側の遊技盤側面に接合部材４１および４２により備えつけられ、開閉扉９が閉鎖された際に閉鎖状態を安定維持させるための磁石のような磁気を帯びた平行に配設された２個の部材４３と、前記開閉扉９が閉鎖された際に前記開閉扉９に押圧され後方に退避するローラ状部材４４と、一端４５１が固着され、他端に前記ローラ状部材４４を回転自在に支持するためのピン部材４５２の両端を支持する支持部４５３を有し前記ローラ状部材４４に連動して動くバネ材よりなる薄板状の揺動部材４５と、前記開閉扉９が閉鎖状態となり前記揺動部材４５が後方に押圧されると前記支持部４５３背面と当接する接点部材４５４とから成り、前記開閉扉９の閉鎖状態を検知する押圧検知センサー４６とにより構成され、主に昼間の電源投入時において前記開閉扉９が開放された際に照明の点滅または音声等で報知することにより不正開閉を抑制するために用いられる。
【００２８】
前記開閉扉９の鍵のロック位置検出センサー５は、図６に示されるように前記枠体１０１の後方、前記開閉扉９のヒンジ部１０２と逆側（開放端側）に前記係合部材５６と一定距離離して対向配設され、一端が固着されたバネ材より成る薄板矩形状の揺動部材５２と、前記揺動部材５２の他端に回転自在に配設されたローラ状部材５１とから成り、図６（ｂ）に示されるように前記鍵操作部５４において施錠動作された際に前記係合部材５６の先端部との接触によりローラ状部材５１が押圧され右方に退避するので、前記ローラ状部材５１を一端に支持する前記揺動部材５２が他端を中心として図中反時計方向に揺動するので、前記開閉扉９の鍵が開いている状態においては図６（ａ）に示されるように図中右方に突出して、前記揺動部材５２と非接触の接点部材５３が揺動してきた前記揺動部材５２に接触して図中左方へ押圧され、前記開閉扉９が施錠されたことを検知するように構成されている。
【００２９】
前記開閉扉９の電子ロック機構６は、図９および図１０に示されるように前記枠体１０１の後方、前記開閉扉９の前記ヒンジ部１０２と逆側のコーナー部６０に突設され、図中左右方向に移動自在に形成された円柱状の第１の往復部材６１と、前記第１の往復部材６１の駆動源となるソレノイド６２を内蔵するケース部材６３と、前記第１の往復部材６１を手動で左右方向に操作するための手動操作部６４と、前記第１の往復部材６１と上下方向に延在形成された連結部６５を介して連結された図中左右方向に往復自在に延在形成された第２の往復部材としての円柱状のロック棒６８と、前記枠体１０１の後方に固定形成され前記円柱状のロック棒６８の左右方向の動きを誘導する穴部６９を有する前記枠体１０１に固定された固定部材７０と、前記開閉扉９の後方に固定形成され図１０（ｂ）に示されるように前記円柱状のロック棒６８が図中右方に誘導された際に該円柱状のロック棒６８を収納可能な穴部７１を有した前記開閉扉９に固定配設された第２の固定部材７２とにより構成される。
【００３０】
前記電子ロック機構６のロック状態を検知する電子ロック検知手段７は、図９および図１０に示されるように前記枠体１０１の後方、前記開閉扉９のヒンジ部１０２と逆側に前記開閉扉９の電子ロック機構６の下方に一定距離離して配設された一端が固着されたバネ材より成る薄板状矩形部材の揺動部材７４と、前記揺動部材７４の他端に回転自在に配設されたローラ状部材７３とから成り、図１０（ｂ）に示されるように前記開閉扉９の電子ロック機構６において施錠動作された際に前記連結部材６５の下端６５１が図中右方へ揺動することに伴い当該下端６５１に押圧されローラ状部材７３が下方に退避するので前記ローラ状部材７３に連動して揺動部材７４が図中時計方向に揺動するため、上方に突出していた接点部材７５と揺動した揺動部材７４とが当接することによりロック状態を検知するように構成されている。
【００３１】
前記判定回路は、図１に示されるように前記外枠１０１の左側上下部の端部に配設されたヒンジ部１０２によって前記開閉扉９とともに揺動自在に支持された前記遊技盤本体１００の裏面に配設された制御基板１０８上に配設されたマイクロコンピュータ８０によって構成される。
【００３２】
前記マイクロコンピュータ８０は、図１１に示されるように前記制御基板１０８上に配設されたＣＰＵ８１と、制御プログラム、不正開閉判定プログラム他の各種プログラムおよびデータが格納されているＲＯＭ８２およびＲＡＭ８３と、Ｉ／０すなわち入出力インターフェース８４とから成る。
【００３３】
前記入出力インターフェース８４の入力インターフェース８４１には、前記位置検出センサー２の押圧検知センサー２２と、前記扉開閉検知手段４の押圧検知センサー４６と、前記開閉扉９の鍵のロック位置検出センサー５と、電子ロック検知手段７その他のセンサーおよび前記解除スイッチ１１０その他の各種スイッチがそれぞれ接続されている。
【００３４】
前記入出力インターフェース８４の出力インターフェース８４２には、図柄表示装置、スピーカ、装飾ランプ、役物装置、遊技球発射ソレノイド、前記復帰駆動手段３と前記電子ロック機構６および報知手段９０その他のものが接続されている。
【００３５】
上記構成より成る本第１実施例における前記開閉扉９の鍵の不正施錠検知の流れを以下で説明する。
最初に本第１実施例のパチンコ遊技機において、電源が供給されている営業時間中には図６（ａ）に示されるように前記開閉扉９の鍵が開錠されると、図２（ｂ）および図３に示されるように前記移動部材４０１は移動しない、すなわち前記一方向歯車４１５の前記外歯車４１８が回転しないため、前記位置検出センサー４０２はＯＮ検知された状態を維持し前記鍵のロック位置検出センサー５によってＯＦＦ検知される。
【００３６】
すなわち、前記鍵のロック機構５０において開錠動作されると図２（ｂ）に示されるように前記歯部４１２および回転部材４１１が前記回転軸５５を中心として図中反時計方向に回転することにより、前記歯車４１４と前記歯部４１２が噛み合い、回転動作が伝動し前記歯車４１４は図中時計方向に回転し、該歯車４１４と前記支持軸４１３を介し連結された前記内歯車４１６が図中時計方向に一体となって回転する。
【００３７】
ここで上述したように前記内歯車４１６の図中時計方向の回転動作は前記係合片４１７が前記内歯車４１６の鋸歯状の歯部に係合しないので、前記外歯車４１８は時計方向に回転することなく静止状態を維持するため、該外歯車４１８の前記先端部を延長した当接部４１９は現状を維持するので、前記先端部を延長した当接部４１９により図中下方に押圧されていた前記ローラ状部材４２２を一端支持する前記揺動部材４２１が他端を中心として図中時計方向に揺動した状態を維持することによって、前記接点部材４２３と前記揺動部材４２１が接触状態を維持することにより前記位置検出センサー４０２がＯＮ検知された状態を維持する。
【００３８】
ここで、前記開閉扉９の鍵のロック位置検出センサー５のＯＦＦ検知信号に基づき前記開閉扉９の電子ロック機構６において電子ロックが解除されるとともに前記電子ロック機構６のロック状態を検知する電子ロック検知手段７がＯＦＦ検知される。
【００３９】
すなわち前記ソレノイド６２の磁気駆動力により前記往復部材６１が図中左方に移動するので、該往復部材６１と連結された第２の往復部材としての円柱状のロック棒６８が図中左方に移動することにより、前記開閉扉９に配設された第２の固定部材７２の前記穴部７１と非接触状態となり前記開閉扉９が開閉自在な状態となる。また、前記往復部材６１が図中左方に移動するので、該往復部材６１と連結した前記連結部材６５が図中左方に移動するため、前記連結部材６５の下端６５１が図中左方に退避することにより、前記電子ロック機構６のロック状態を検知する電子ロック検知手段７の前記ローラ状部材７３が図中下方への前記下端６５１による押圧から解放され図中上方へと退避し、前記ローラ状部材７３と連動して前記揺動部材７４が反時計方向に揺動することによって、前記揺動部材７４と前記接点部材７５が非接触状態（ロック解除状態）となることによりＯＦＦ検知される。
【００４０】
次に図８（ａ）および図８（ｃ）に示されるように前記開閉扉９が開放されると前記扉開閉検知手段４によってＯＦＦ検知される。
【００４１】
続いて前記開閉扉９が閉鎖されると図８（ｂ）および図８（ｄ）に示されるように前記扉開閉検知手段４によってＯＮ検知され、図６（ｂ）に示されるように前記開閉扉９の鍵が施錠されると前記開閉扉９の鍵のロック位置検出センサー５によってＯＮ検知されるとともに前記位置検出センサー４０２は図５に示されるようにＯＦＦ検知される
【００４２】
すなわち、前記鍵のロック機構５０において施錠動作されると前記歯部４１２および回転部材４１１が前記回転軸５５を中心として時計方向に回転することにより、図４に示されるように前記歯車４１４と前記歯部４１２が噛み合い、回転動作が伝動し前記歯車４１４は図中反時計方向に回転し、該歯車４１４と前記支持軸４１３と一体的に形成された前記内歯車４１６が図中反時計方向に回転する。
【００４３】
ここで上述したように前記内歯車４１６の図中反時計方向の回転動作は前記係合片４１７と前記内歯車４１６の鋸歯状の歯部が係合することにより前記外歯車４１８に伝動されるので、該外歯車４１８は前記鍵のロック機構５０による施錠動作にともない図中反時計方向に回転し、結果として前記先端部を延長した当接部４１９が図中反時計方向に移動することにより前記当接部４１９により図中下方に押圧されていた前記ローラ状部材４２２が図中上方に退避し、前記ローラ状部材４２２を一端支持する前記揺動部材４２１が他端を中心として図中反時計方向に揺動するので、前記接点部材４２３が前記揺動部材４２１と非接触状態となり前記位置検出センサー４０２がＯＦＦ検知される。
【００４４】
ここで、前記開閉扉９の鍵のロック位置検出センサー５のＯＮ検知信号に基づき図１０（ｂ）に示されるように前記開閉扉９の電子ロック機構６において施錠状態となり前記電子ロック機構６のロック状態を検知する電子ロック検知手段７がＯＮ検知される。
【００４５】
すなわち前記ソレノイド６２の磁気駆動力により前記往復部材６１が図中右方に移動するので、該往復部材６１と連結された第２の往復部材としての円柱状のロック棒６８が図中右方に移動することにより、前記開閉扉９に配設された第２の固定部材７２の前記穴部７１に前記円柱状のロック棒６８が収容され、前記開閉扉９が開放不可能な状態となる。また、前記往復部材６１が図中右方に移動するので、該往復部材６１と連結した前記連結部材６５が図中右方に移動するので前記連結部材６５の下端６５１が図中右方に移動することにより、前記電子ロック機構６のロック状態を検知する電子ロック検知手段７の前記ローラ状部材７３を図中下方へ押圧し、前記ローラ状部材７３と連動して前記揺動部材７４が時計方向に揺動することにより、前記揺動部材７４と前記接点部材７５が接触状態となることによりＯＮ検知される。
【００４６】
ここで前記判定回路によって一連の前記鍵のロック機構５０における開施錠および前記開閉扉９における開閉が営業時間中の正当なものと判断された場合には、前記開閉扉９の鍵のロック位置検出センサー５のＯＮ検知信号を契機として復帰駆動手段４０３が作動し、図２（ａ）に示されるように前記移動部材４０１が定位置に戻り前記位置検出センサー４０２によってＯＮ検知される。
【００４７】
すなわち復帰駆動電流により前記ステッピングモーター４３２が作動し、前記駆動歯車４３１を図中時計方向に半回転する駆動力を与えることにより、前記駆動歯車４３１と当接した前記歯車４１４が図中反時計方向に半回転するので、該歯車４１４と前記支持軸４１３を介し連結され一体となって動く前記内歯車４１６が図中反時計方向に半回転する。
【００４８】
ここで上述したように前記内歯車４１６の図中反時計方向の回転動作は前記係合片４１７と前記内歯車４１６の鋸歯状の歯部が係合することにより前記外歯車４１８へ伝動されるので、該外歯車４１８は復帰駆動手段４０３の作動にともない図中反時計方向に半回転し前記移動部材４０１が定位置に復帰されるので前記位置検出センサー４０２においてＯＮ検知される
【００４９】
次に本第１実施例のパチンコ遊技機は、営業時間外においては、電源無供給であり、前記開閉扉９の鍵が開錠されても、電源が供給されていないため前記開閉扉９の鍵のロック位置検出センサー５が、図６（ａ）に示されるようなＯＦＦ状態となるがＯＦＦ検知はされず、当然前記開閉扉９の電子ロック機構６において電子ロックが解除されるための信号も出力されない。
【００５０】
すなわち鍵が開錠されると前記開閉扉９の鍵のロック位置検出センサー５において、前記係合部材５６が反時計方向に回転するので、該係合部材５６の先端部との接触により押圧されていた前記ローラ状部材５１が図中右方に突出するため、前記接点部材５３に当接していた前記揺動部材５２が図中時計方向に揺動して、前記接点部材５３との接触状態が解除され、ＯＦＦ状態となるが電源が供給されていないため当然前記開閉扉９の電子ロック機構６において電子ロックが解除されるための信号が出力されないので、前記電子ロック機構６は図１０（ｂ）に示されるように前記往復部材６１が図中右方の位置に維持されるので、該往復部材６１と連結された第２の往復部材としての円柱状のロック棒６８が図中右方の位置に維持されることにより、前記開閉扉９に配設された第２の固定部材７２の前記穴部７１に前記円柱状のロック棒６８が収容された状態を維持するため、前記開閉扉９が開放不可能な状態を維持する。
【００５１】
本第１実施例のパチンコ遊技機においては、営業時間が終了し、正当な手順でパチンコ遊技機への電源が切断された場合には、営業時間外において前記開閉扉９は開放不可能となるように構成されており、不正施錠を検知する機能に加え不正開放を防止する機能を有している。
【００５２】
以下、不正に電子ロックを解除された場合等により前記開閉扉９の鍵５０が不正施錠される場合を説明する。上記した不正開放がされる場合には、前記開閉扉９の電子ロック機構６は図１０（ａ）に示されるように不正解除されており前記電子ロック機構６のロック状態を検知する電子ロック検知手段７はＯＦＦ状態にある。
【００５３】
次に前記開閉扉９の鍵が開錠され、次に図８（ａ）に示されるように前記開閉扉９が開放されると、図２（ｂ）および図３に示されるように前記移動部材４０１は移動しないため、前記鍵のロック位置検出センサー５はＯＮ状態を維持するとともに前記位置検出センサー４０２によってＯＦＦ状態となり、前記扉開閉検知手段４によってＯＦＦ状態となる。
【００５４】
すなわち、前記鍵のロック機構５０において開錠動作されると図２（ｂ）に示されるように前記歯部４１２および回転部材４１１が前記回転軸５５を中心として反時計方向に回転することにより、前記歯車４１４と前記歯部４１２が噛み合い、回転動作が伝動し前記歯車４１４は図中時計方向に回転し、該歯車４１４と前記支持軸４１３を介し連結された前記内歯車４１６が図中時計方向に一体的に回転する。
【００５５】
ここで上述したように前記内歯車４１６の図中時計方向の回転動作は前記係合片４１７が前記内歯車４１６の鋸歯状の歯部に係合しないので前記外歯車４１８への伝動を回避するので、該外歯車４１８の前記先端部を延長した当接部４１９は現状を維持するので、前記先端部を延長した当接部４１９により図中下方に押圧されていた前記ローラ状部材４２２を一端支持する前記揺動部材４２１が他端を中心として図中時計方向に揺動した状態を維持するので、前記接点部材４２３と前記揺動部材４２１が接触状態を維持することにより前記位置検出センサー４０２がＯＮ状態を維持する。
【００５６】
続いて前記開閉扉９が閉鎖されると図８（ｂ）および図８（ｄ）に示されるように前記扉開閉検知手段４がＯＮ状態となり、図６（ｂ）に示されるように前記開閉扉９の鍵が施錠されると前記開閉扉９の鍵のロック位置検出センサー５がＯＮ状態となるが前記位置検出センサー４０２は図５に示されるようにＯＦＦ状態となる。
【００５７】
すなわち、前記鍵のロック機構５０において施錠動作されると前記歯部４１２および回転部材４１１が前記回転軸５５を中心として時計方向に回転することにより、第３０図に示されるように前記歯車４１４と前記歯部４１２が係合し、回転動作が連絡され前記歯車４１４は図中反時計方向に回転し、該歯車４１４と前記支持軸４１３を介し連結された前記内歯車４１６が図中反時計方向に回転する。
【００５８】
ここで上述したように前記内歯車４１６の図中反時計方向の回転動作は前記係合片４１７と前記内歯車４１６の鋸歯状の歯部が係合することにより前記外歯車４１８に伝動されるので、該外歯車４１８は前記鍵のロック機構５０の施錠動作にともない図中反時計方向に回転し、結果として前記先端部を延長した当接部４１９が図中反時計方向に移動するので前記当接部４１９により図中下方に押圧されていた前記ローラ状部材４２２が図中上方に退避し、前記ローラ状部材４２２を一端支持する前記揺動部材４２１が他端を中心として図中反時計方向に揺動するので、前記接点部材４２３が前記揺動部材４２１と非接触状態となり前記位置検出センサー４０２がＯＦＦ状態となる。
【００５９】
上記構成より成る本第１実施例のパチンコ遊技機は、夜間に不正施錠が行われた場合に、翌朝電源が投入されると正当な手順でパチンコ遊技機への電源が切断され、不正施錠されることなく再度電源が投入された場合はＯＮ検知される前記位置検出センサー４０２がＯＦＦ検知されるためこれらの出力に基づき前記判定回路において営業時間外における不正施錠の可能性を判定し、パチンコ遊技機に備えられた報知手段９０によって報知するための信号を出力する。
【００６０】
なお、報知手段９０は、判定回路からの指令により、夜間に不正施錠が行われた場合の不正施錠報知状態と、夜間に不正施錠が行われなかった場合の正常報知状態を備えている。
【００６１】
また、本第１実施例においては、前記鍵のロック位置検出センサー５が、前記鍵のロック機構５０の施錠を検知して出力が出されているときは、前記復帰駆動手段４０３である前記ステッピングモーター４３２が駆動動作することにより不正施錠により移動した前記移動部材４０１を元に戻すものである。
【００６２】
さらに前記開閉扉９の鍵が不正施錠されるとともに、前記電子ロック機構６が不正開錠されて前記電子ロック状態を検知する電子ロック検知手段７が図１０（ａ）に示されるようなＯＦＦ状態となり前記位置検出センサー４０２が図５に示されるようなＯＦＦ状態となった後に、何者かが前記電子ロック機構６のロック状態を検知する電子ロック検知手段７を図１０（ｂ）に示されるようなＯＮ状態に戻した場合にも、本第１実施例のパチンコ遊技機では電源投入時に前記位置検出センサー４０２がＯＦＦ検知されれば前記判定回路において不正施錠の可能性ありと判定するように設定してあるため前記電子ロック機構６を操作できる者による不正施錠に対しても検出可能なように構成されている。
【００６３】
また、本第１実施例においては、不正施錠による異常状態を判定した際には前記報知手段９０等により報知することに加え一定条件が満たされるまでの間は遊技の開始を阻止する制御を加える変形例を採用することもできる。
【００６４】
本第１実施例における上述の遊技の開始阻止制御について、図１１のブロック図を用いて説明すると、位置検出センサー４０２または電子ロック機構６のロック状態を検知する電子ロック検知手段７の出力に応じて前記判定回路において不正施錠が検知されるとメイン基板ＣＰＵ において異常判定制御が行なわれ、該異常判定制御からの出力信号により図柄表示装置、スピーカ、装飾ランプ、役物装置またはおよび報知手段９０等によって報知されるとともに、発射ソレノイドをＯＦＦとする信号を出力する。
【００６５】
次に異常報知および遊技の開始阻止制御の解除方法について以下で説明する。  本第１実施例の変形例の遊技機は、前記異常報知および遊技の開始阻止制御の解除方法として解除スイッチ１１０を備えており、前記解除スイッチ１１０は、図７に示されるように前記枠体１０１の後方方向に押圧可能なスイッチ操作部１１１と、前記枠体１０１の内部に備えられ前記スイッチ操作部１１１が前記枠体１０１の後方方向に押圧されたことを検知する押圧検知センサー１１２とから構成される。また前記解除スイッチ１１０を施錠管理可能とする鍵穴部１１３を有する包囲部材１１４を備えた構成となっている。
【００６６】
不正施錠により異常報知および遊技の開始阻止制御が作動されると、該報知により特定遊技台の不正施錠をホール従業員が確認した後、前記解除スイッチ１１０の前記スイッチ操作部１１１を押圧することにより、前記押圧検知センサー１１２の検知出力がメイン基板ＣＰＵに送信されることにより前記異常報知および前記遊技の開始阻止制御が解除されるとともに、前記開閉扉９の電子ロック機構６において施錠制御される。
【００６７】
以下において、電源切断時に不正施錠され、電源投入時に不正施錠による異常を検知し該異常検知による異常報知および遊技の開始阻止制御を前記解除スイッチ１１０を用いて解除するまでの流れを、前記制御基板１０８に配設された前記ＲＯＭ８２に予め格納されているプログラムに基づく図１２に示されるフローチャートを用いて説明する。
【００６８】
本第１実施例の遊技機は、電源が切断された閉店後、前記開閉扉９の鍵が不正に施錠されると、前記移動部材４０１が移動するので。前記位置検出センサー４０２がＯＮ状態となる。
【００６９】
次にステップ２００１において、翌朝になり開店前に、遊技機の電源が投入される。次にステップ２００２において、前記移動部材４０１が定位置にあるかどうかを、前記位置検出センサー４０２によって検出し、定位置にある場合はステップ２００３において、前記開閉扉９の電子ロック機構６が施錠状態か開錠状態かを前記電子ロック機構６のロック状態を検知する電子ロック検知手段７において検出する。
【００７０】
ステップ２００２において、前記移動部材４０１が定位置にあると判定されると、ステップ２００３において、前記開閉扉９の電子ロック機構６が施錠状態であることが検出される場合は、ステップ２００４において、前記判定回路が正常と判定し、ステップ２００５において、遊技開始可能状態となる。
【００７１】
ステップ２００２において、前記移動部材４０１が定位置にないことすなわち移動位置にあることが検出されるもしくは、ステップ２００３において、前記開閉扉９の電子ロック機構６が開錠状態であることが検出された場合には、ステップ２００６において、前記判定回路が異常と判定し、ステップ２００７において、異常報知が開始されるとともに、ステップ２００８において、遊技球の発射を阻止する制御が開始される。
【００７２】
次にステップ２００９において、従業員により遊技盤に配設された釘の不正操作および制御基板への不正改造への処置がなされた後、前記開閉扉９の鍵のロック位置検出センサー５において施錠が検知されると、ステップ２０１０において、前記判定回路としての前記マイクロコンピュータ８０からの指令により、前記復帰駆動手段４０３が駆動動作することにより前記移動部材４０１を定位置に復帰させる（前記移動部材４０１が定位置にある場合は現状が維持される）。
【００７３】
次にステップ２０１１において、前記解除スイッチ１１０が操作されると、ステップ２０１２において、開錠状態にある前記開閉扉９の電子ロック機構６が前記ソレノイド６２の磁気駆動力により施錠される（前記開閉扉９の電子ロック機構６が施錠状態にある場合は現状が維持される）。
【００７４】
続いてステップ２０１３において、異常報知が解除されるとともに、ステップ２０１４において、遊技球の発射を阻止する制御が解除されることにより、ステップ２００５において、遊技開始可能状態となる。
【００７５】
本第１実施例の遊技機においては、異常報知および遊技の開始阻止制御の解除方法の一例として前記解除スイッチ１１０を用いたが、以下に説明する電源切換検出手段を用いたもの、またはタイマー回路を用いたものでもよく、さらには前記解除スイッチ１１０または前記電源切換検出手段または前記タイマー回路を組み合わせた変形例を採用することも可能である。
【００７６】
最初に、異常報知および遊技の開始阻止制御の解除方法として電源切換検出手段を用いたものは図１３ブロック図に示されるように電源切換スイッチからの出力をメイン基板ＣＰＵ の電源切換判定制御により該電源切換が所定の条件を満たしているかを判定し、該電源切換が所定の条件を満たしている場合には異常報知および遊技の開始阻止制御を解除するものである。
【００７７】
本第１実施例の遊技機においては、異常報知および異常報知後における遊技の開始阻止制御のその他の解除方法として、電源が切断される時刻から次に電源が投入される時刻が１０秒以内であった場合に、異常報知および遊技の開始阻止制御を解除する例として、図１４および図１５を用いて説明する。
【００７８】
前記電源切換判定制御は、図１４の制御ブロックに示されるように電源切換スイッチからの出力を微分回路を介すことにより、電源投入信号パルスと電源切断信号パルスを抽出する。次に、タイマー回路により前記電源切断信号パルスの立ち上がりから１０秒間で立ち下がる矩形波パルスを出力し、前記電源の再投入信号パルスと前記１０秒間の矩形波パルスとをＡＮＤ 回路に入力することにより、アンド論理が成立する場合には、異常報知後の遊技の開始阻止制御を解除するものである。
【００７９】
図１５に示されるタイムチャートに沿って説明すると、上述の報知により特定遊技台の不正施錠をホール従業員が確認して、必要な処置を行った後、時刻ｔ１において遊技機に投入されていた電源が切断され時刻ｔ２において電源を再投入する。ここで時刻ｔ１では電源切断信号パルスとともに、時刻ｔ１における電源の切断により立ち上がる１０秒間のパルスが出力され、時刻ｔ２において電源再投入信号パルスが出力されると、該電源の切断時刻ｔ１から１０秒以内の時刻ｔ２に再び電源を投入することにより時刻ｔ２において前記電源投入信号パルスと前記１０秒間のパルスが同時に出力され、アンド論理が成立することとなり、不正施錠による異常報知および遊技の開始阻止制御を解除する条件となるＡＮＤ出力が抽出される。
【００８０】
以下においては、電源切断時に不正施錠され、電源投入時に不正施錠による異常を検知し該異常検知による異常報知および遊技の開始阻止制御を電源切換検出手段を用いて解除するまでの流れを図１６に示されるフローチャートを用いて説明する。なお、前記電源切換検出手段の出力により前記復帰駆動手段４０３が作動することにより前記移動部材４０１が定位置に戻る例として示す。
【００８１】
最初に、ステップ３００１において、翌朝開店前に遊技機の電源が投入され、ステップ３００２において、前記移動部材４０１が定位置にあるかないかを前記位置検出センサー４０２によって検出し、定位置にある場合はステップ３００３において、前記開閉扉９の電子ロック機構６が施錠状態か開錠状態かを前記電子ロック機構６のロック状態を検知する電子ロック検知手段７において検出する。
【００８２】
ステップ３００２において、前記移動部材４０１が定位置にあることが検出され、かつステップ３００３において、前記開閉扉９の電子ロック６が施錠状態であることが検出される場合は、ステップ３００４において、前記判定回路が正常判定し、ステップ３００５において、遊技開始可能状態となる。
【００８３】
ステップ３００２において、前記移動部材４０１が定位置にないすなわち移動位置にあることが検出されるもしくは、ステップ３００３において、前記開閉扉９の電子ロック６が開錠状態であることが検出された場合には、ステップ３００６において、前記判定回路が異常判定し、ステップ３００７において異常報知が開始されるとともに、ステップ３００８において、遊技球の発射を阻止する制御が開始される。
【００８４】
次にステップ３００９において、電源が切断され、ステップ３０１０において、電源が再び投入されると、ステップ３０１１において、該ステップ３０１０における電源再投入がステップ３００９の電源切断から１０秒以内に行なわれたものかどうかを判定し、ステップ３００９の電源切断からステップ３０１０の電源再投入が１０秒以内に行なわれた場合はステップ３０１２へと続き、ステップ３００９の電源切断からステップ３０１０の電源再投入が１０秒以内に行なわれていない場合はステップ３００７へと戻る。
【００８５】
ステップ３０１１において、異常報知および遊技の開始阻止制御を解除するための電源切換の所定条件が満たされると、ステップ３０１２において、異常報知が解除されるとともに、ステップ３０１３において遊技球の発射を阻止する制御が解除されることにより、ステップ３００５において遊技開始可能状態となる。
【００８６】
続いてステップ３０１０の電源投入時より５秒間が経過した後、ステップ３０１４において移動した前記移動部材４０１が前記復帰駆動手段４０３により定位置に復帰される（前記移動部材４０１が定位置にある場合は現状が維持される）とともに、ステップ３０１５において開錠状態にある前記開閉扉９の電子ロック機構６が前記ソレノイド６２の駆動力により施錠される（前記開閉扉９の電子ロック機構６が施錠状態にある場合は現状が維持される）。なお、従業員は電源投入時刻より５秒以内に前記開閉扉９を閉鎖させるとともに前記開閉扉９の鍵を施錠する。
【００８７】
次に、異常報知および遊技の開始阻止制御の解除方法として前記タイマー回路を用いたものを図１７のブロック図を用いて説明すると、前記位置検出センサー４０２または前記電子ロック機構６のロック状態を検知する電子ロック検知手段７の出力に応じて前記判定回路において不正施錠が検知されると、メイン基板ＣＰＵ において異常判定制御が行なわれ、該異常判定制御からの出力信号により図柄表示装置、スピーカ、装飾ランプ、役物装置またはおよび報知手段９０等によって報知されるとともに、発射ソレノイドをＯＦＦとする信号を出力し、該出力に応じメイン基板ＣＰＵ に備えられたタイマー回路によって１０分間を測定し、上述のように異常報知および遊技の開始阻止制御が作動した後１０分後に前記異常報知および遊技の開始阻止制御を解除する信号が出力されるよう構成されている。
【００８８】
不正施錠により異常報知および遊技の開始阻止制御が作動されると、１０分が経過するまでに特定遊技台への不正施錠をホール従業員が確認するとともに、１０分経過時には上述の不正施錠による異常状態を解除するための信号が人為的操作を必要とすることなく出力される。
【００８９】
以下においては、電源切断時に不正施錠され、電源投入時に不正施錠による異常を検知し該異常検知による異常報知後の遊技の開始阻止制御をプログラムにより等価的に前記タイマー回路を実現して判断した上で、解除するまでの流れを図１８に示されるフローチャートを用いて説明する。なお、前記タイマー回路の出力により前記復帰駆動手段４０３が作動することにより前記移動部材４０１が定位置に戻る例として示す。
【００９０】
最初にステップ４００１において、翌朝開店前に遊技機の電源が投入されると、ステップ４００２において、前記移動部材４０１が定位置にあるかないかを前記位置検出センサー４０２において検出し、定位置にある場合はステップ４００３において、前記開閉扉９の電子ロック機構６が施錠状態か開錠状態かを前記電子ロック機構６のロック状態を検知する電子ロック検知手段７において検出する。
【００９１】
ステップ４００２において、前記移動部材４０１が定位置にあることが検出され、かつステップ４００３において、前記開閉扉９の電子ロック機構６が施錠状態であることが検出される場合は、ステップ４００４において、前記判定回路が正常判定し、ステップ４００５において、遊技開始可能状態となる。
【００９２】
ここでステップ４００２において、前記移動部材４０１が定位置にないすなわち移動位置にあることが検出される、もしくはステップ４００３において、前記開閉扉９の電子ロック機構６が開錠状態であることが検出された場合には、ステップ４００６において、前記判定回路が異常判定し、ステップ４００７において異常報知が開始されるとともに、ステップ４００８において、遊技球の発射を阻止する制御が開始される。
【００９３】
ステップ４００９において、ステップ４００６の前記判定回路においての異常判定時刻から１０分経過したかを判断し、１０分未経過の場合はステップ４００７に戻り、１０分経過が判断されると、ステップ４０１０において、移動した前記移動部材４０１が前記復帰駆動手段４０３により定位置に復帰される（前記移動部材４０１が定位置にある場合は現状が維持される）とともに、ステップ４０１１において、開錠状態にある前記開閉扉９の電子ロック機構６が前記ソレノイド６２の磁気駆動力により施錠される（前記開閉扉９の電子ロック機構６が施錠状態にある場合は現状が維持される）。なお、従業員は異常判定時刻から１０分以内に前記開閉扉９を閉鎖させるとともに前記開閉扉９の鍵を施錠する。
【００９４】
続いてステップ４０１２において、異常報知が解除されるとともに、ステップ４０１３において、遊技球の発射を阻止する制御が解除されることにより、ステップ４００５において、遊技開始可能状態となる。
【００９５】
上記作用を奏する第１実施例の遊技機は、夜間における前記開閉扉９の鍵の施錠動作に連動して動く前記移動部材４０１の位置を、翌朝電源投入がされた後、前記位置検出センサー４０２によって、定位置にあるのか、移動した位置にあるのかを検出して、前記位置検出センサー４０２の出力に基づき判定回路により前記開閉扉９の鍵の施錠判定をすることにより、夜間における前記開閉扉９の鍵の不正施錠を精確に検知するという効果を奏する。
【００９６】
また、本第１実施例のパチンコ遊技機は、前記開閉扉９の前記鍵のロック機構５０の施錠を検知して不正施錠を前記判定回路により判定するので、前記開閉扉９の開閉を伴わずに前記開閉扉９の鍵のロック機構５０の施錠により行われる不正行為に対しても検知することが出来るという効果を奏する。
【００９７】
また本第１実施例の遊技機は、翌朝および昼間の電源投入時において前記鍵のロック位置検出センサー５が、前記鍵のロック機構５０のロック状態を検知して出力が出されているときは、前記判定回路が、前記位置検出センサー４０２の出力とともに参照して、夜間前記開閉扉９の鍵の不正施錠が行われたことを判定するとともに前記移動部材４０１が移動していると判定された場合には、前記復帰駆動手段４０３に復帰駆動指令が出力されるので、翌朝の電源投入時において前記移動部材４０１を確実に定位置に復帰させて新たな不正施錠を検知できるようにするとともに、昼間の営業時間中の従業員が行う遊技機の前記鍵のロック機構５０の開施錠動作を伴う点検業務を円滑なものとするという効果を奏する。
【００９８】
なお、本第１実施例の遊技機は、仮に位置検出センサー４０２が壊れて、前記移動部材４０１の移動を検知出来ない場合でも、前記開閉扉９の鍵のロック位置検出センサー５が前記鍵のロック機構５０の開錠を検知している場合には、前記判定回路によって不正開錠があったと判定することが出来る。
【００９９】
また本第１実施例の遊技機は、前記解除スイッチ１１０、電源切断検出手段およびまたはタイマー回路を用いて上述の所定の条件を満たした時は、上述のロック位置検出センサー５が壊れて、前記鍵のロック機構５０の施錠を検知する出力が出されていない場合には、前記復帰駆動手段４０３の復帰駆動作指令を出力して、前記移動部材４０１を定位置に復帰させることができるため、夜間における前記開閉扉９の鍵の不正施錠を精確に検知するとともに、翌朝電源投入後に遊技盤に配設された釘への不正操作および制御基板の不正改造に対する処置を可能にして、新たな不正施錠が検知出来るように前記移動部材４０１を定位置に復帰させるという効果を奏する。
【０１００】
さらに本第１実施例の遊技機は、前記報知手段９０が、前記判定回路において前記移動部材４０１が定位置にあることを判定した時、前記移動部材４０１が定位置にあることを報知するので、夜間における前記開閉扉９の鍵の不正施錠が無かったことを確実に報知して、遊技盤に配設された釘への不正操作および制御基板の不正改造の有無のチェックを不要にするという効果を奏する。
【０１０１】
また、本第１実施例の遊技機は、異常判定制御からの出力信号に基づき、図柄表示装置、スピーカ、装飾ランプまたは役物装置等のいずれかまたは報知手段９０を用いて報知することが出来るので、確実に報知して、遊技盤に配設された釘への不正操作および制御基板の不正改造に対する処置を可能にするという効果を奏する。
【０１０２】
また本第１実施例の遊技機は、異常判定制御からの出力信号に基づき、上述のように報知するとともに、発射ソレノイドをＯＦＦとする信号を出力して、遊技球の発射阻止を可能にするという効果を奏する。
【０１０３】
さらに本第１実施例の遊技機においては、前記解除スイッチ１１０からの信号に基づき、上述の異常報知および遊技の開始阻止制御を簡単且つ確実に解除することが出来るという効果を奏する。
【０１０４】
また本第１実施例の遊技機においては、前記解除スイッチ１１０を用いることなく上述の電源切換検出手段を用いることにより、上述の異常報知および遊技の開始阻止制御を簡単且つ確実に解除することが出来るという効果を奏する。
【０１０５】
また本第１実施例の遊技機においては、上述の制御基板の不正改造に対する処置を行なうのに必要な時間を考慮した例えば１０分に設定された等価的なタイマー回路を用いることにより、ホール従業員の前記解除スイッチ１１０その外の何らの操作を必要とすることなく、上述の異常報知および遊技の開始阻止制御を簡単且つ確実に解除することが出来るという効果を奏する。
【実施例２】
【０１０６】
本第２実施例のパチンコ遊技機は、図１９ないし図２２に示されるように外枠１０１の後方に配設され、内部に鍵のロック機構５０の施錠動作に連動して移動する移動機構が介挿される空間を有する中空状の固定部材２５０を備えており、以下において、上述の第１実施例との相違点を中心に説明する。
【０１０７】
鍵のロック機構は、図６に示されるように鍵操作部５４の回転操作に応じて一体的に回転する回転軸５５に配設された係合部材５６の回転係合により、鍵をロックするものである。
【０１０８】
前記移動機構は、前記鍵のロック機構５０の開錠動作に応じて移動する第１の移動部材２１１と、前記鍵のロック機構５０の施錠動作に応じて移動する第２の移動部材２１２とから成る。
【０１０９】
本第２実施例のパチンコ遊技機は、図１９ないし図２２に示されるように前記第２の移動部材２１２の位置を検出するための位置検出センサーと、前記鍵のロック機構５０の開錠動作に応じて移動した前記第１の移動部材２１１の位置を復帰させる復帰駆動手段２０３と、前記開閉扉９の開閉を検知する扉開閉検知手段４と、前記開閉扉９に配設された鍵のロック機構５０の開施錠を検知して、前記復帰駆動手段２０３に駆動指令を出力するための開閉扉９の鍵のロック位置検出センサー５と、これらの検出センサーおよび検知手段からの入力情報に応じて営業時間中の正当な開閉扉９の鍵のロック機構５０の開施錠かまたは営業時間外の不正な開閉扉９の鍵のロック機構５０の開施錠かを判定する判定開路２０８とを備えており、上述の第１実施例と同様の構成より成る部分においては同一の符号を用いて、説明を省略する。
【０１１０】
前記移動機構は、図１９ないし図２２に示されるように、前記開閉扉９および遊技盤本体２００を揺動自在に支持する前記ヒンジ部１０２と逆側の、前記外枠１０１の後方に配設された前記中空状の固定部材２５０の円筒状凹部に前記鍵のロック機構５０の係合部材５６に対向して介挿されている。
【０１１１】
前記第１の移動部材２１１は、位置検出センサー用の貫通孔２１１２および第２の移動部材２１２を係止するための内方に突出したフランジ部２１１３が形成された径の大きな中空筒状の大径部２１１１と、右端２１１４を付勢手段としてのコイルスプリング２１１５が図中左方に付勢する径の小さな中実筒状の小径部２１１６とから成る略Ｙ字状の部材より成る。
【０１１２】
前記第２の移動部材２１２は、前記遊技盤本体２００の円筒状凹部内に介挿される有底中空円筒状の先端部２１２１と、前記フランジ部２１１３と係合する係止部２１２２と、前記先端部２１２１と係止部２１２２とを連結するとともに、位置検出センサー用の孔２１２５が形成された連結部２１２３と、前記先端部２１２１の内底面と前記第１の移動部材２１１のフランジ部２１１３との間に介挿され、前記先端部２１２１を図中左方に突出させる付勢手段としてのコイルスプリング２１２４とから成る略Ｔ字状の部材より成る。
【０１１３】
係止部材２１３が、前記遊技盤本体２００の円筒状凹部に半径方向に穿設された穴部に、半径方向内方に付勢する付勢手段としてのコイルスプリング２１３１とともに介挿され、前記第１の移動部材２１１が、前記遊技盤本体２００が開放され前記遊技盤本体２００の円筒状凹部内において図中左端位置まで前記大径部２１１１が移動した時、突出して前記大径部２１１１のコーナー部に係合して係止されるように構成されている。
【０１１４】
前記第２の移動部材２１２は、その前記コイルスプリング２１２４のバネ定数が、前記鍵のロック機構５０が開錠された後再び施錠された時前記先端部２１２１を介して前記コイルスプリング２１２４は圧縮されるが、前記コイルスプリング２１３１の付勢力により前記大径部２１１１のコーナー部に係合して係止している前記係止部材２１３の係止関係を解除しないように設定されており、前記鍵のロック機構５０の施錠に伴い前記第１の移動部材２１１を移動させることなく、前記第２の移動部材２１２のみを独立して移動させて後退するように構成されている。
【０１１５】
前記位置検出センサーは、図１９ないし図２２に示されるように前記係合部材５６の対向方向において前記係合部材５６と一定距離離して配設されたフォトセンサー発光部２２１、前記フォトセンサー発光部２２１より導かれた光を感知するフォトセンサー受光部２２２とにより構成されている。
【０１１６】
また、前記位置検出センサーは、図１９ないし図２２に示されるように前記鍵のロック機構５０の係合部材５６に当接するｄ１の位置に対して前記係合部材５６の対向方向におけるｄ２の位置に配設され、図２０に示されるように前記鍵のロック機構５０の開錠動作に伴い前記第１の移動部材２１１の前記貫通孔２１１２が左右方向におけるｄ２の位置に移動し、図２１に示されるように前記鍵のロック機構５０の施錠動作に伴い前記第２の移動部材２１２の前記連結部２１２３の貫通孔２１２５が左右方向におけるｄ２の位置に移動することにより前記貫通孔２１１２および貫通孔２１２５を介して前記フォトセンサー発光部２２１より導かれた光を前記フォトセンサー受光部２２２が感知することにより、前記鍵のロック機構５０の施錠が検知される。
【０１１７】
前記復帰駆動手段２０３は、図１９ないし図２２に示されるように前記鍵のロック機構５０の対向方向において前記第１の移動部材２１１に対して一定距離離して配設され、前記第１の移動部材２１１および前記第２の移動部材２１２の駆動源となる閉店前に電源が投入された後、営業時間外の不正な鍵のロック機構５０の開施錠および制御基板の不正改造が行われたと判定回路により判定されると駆動されるソレノイド２３１により構成されている。
【０１１８】
前記扉開閉検知手段４は、前記枠体１０１側面に配設され、前記開閉扉９の閉鎖状態を検知可能なように構成され、基本構成が上述の第１実施例における前記扉開閉検知手段４と同一であるため説明を省略する。
【０１１９】
前記開閉扉９の鍵のロック位置検出センサー５は、基本構成が上述の第１実施例における前記開閉扉９の鍵のロック位置検出センサー５と同様の構成より成るものであるため、説明を省略する。
【０１２０】
上記構成より成る本第２実施例の遊技機における前記鍵のロック機構５０の不正施錠検知の大略の流れを以下で説明する。
【０１２１】
最初に本第２実施例のパチンコ遊技機において電源が供給された営業時間中には図６（ａ）に示されるように前記鍵のロック機構５０が開錠されると、前記開閉扉９の鍵のロック位置検出センサー５においてＯＦＦ検知されるとともに、図２０に示されるように前記第１の移動部材２１１および第２の移動部材２１２が前記固定部材２５０内における図中左方向に移動する。
次に図８（ａ）に示されるように前記開閉扉９が開放されると前記扉開閉検知手段４においてＯＦＦ検知される。
【０１２２】
続いて前記遊技盤本体２００が閉鎖されると、図８（ｂ）に示されるように前記扉開閉検知手段４においてＯＮ検知され。
【０１２３】
続いて図６（ｂ）に示されるように前記開閉扉９の鍵が施錠されると前記開閉扉９の鍵のロック位置検出センサー５によってＯＮ検知されるとともに、図２１に示されるように前記第１の移動部材２１１は前記係止部材２１３の係止により一定位置に維持されるとともに、前記第２の移動部材２１２は前記固定部材２５０の左右方向における右方向に退避されるので、前記位置検出センサーにおいてＯＮ検知される。
【０１２４】
ここで、前記開閉扉９の鍵のロック位置検出センサー５におけるＯＮ検知を契機として図２２に示されるように復帰駆動手段２０３が作動し前記第１の移動部材２１１または前記第２の移動部材２１２が定位置に戻り前記位置検出センサーのフォトセンサー受光部２２２によってＯＦＦ検知される。
【０１２５】
次に本第２実施例のパチンコ遊技機において電源が供給されていない営業時間外においては前記鍵のロック機構５０の鍵が開錠されても、電源が供給されていないため前記開閉扉９の鍵のロック位置検出センサー５は図６（ａ）に示されるようなＯＦＦ状態となるがＯＦＦ検知はされず、前記第１の移動部材２１１および前記第２の移動部材２１２が、図２０に示されるように前記固定部材２５０の左右方向左方に移動する。
【０１２６】
次に前記開閉扉９が不正開放されると、前記扉開閉検知手段４は図８（ｂ）に示されるようなＯＦＦ状態となる。
【０１２７】
続いて前記開閉扉９が閉鎖されると、前記扉開閉検知手段４は図８（ｂ）に示されるようにＯＮ状態となる。
【０１２８】
続いて前記鍵のロック機構５０が施錠されると図２１に示されるように前記第１の移動部材２１１は前記係止部材２１３の係止により一定位置に維持されるとともに、第２の移動部材２１２は前記固定部材２５０の左右方向右方に退避されるので、前記位置検出センサーによって検知可能な状態となるとともに、前記鍵のロック位置検出センサー５は図６（ｂ）に示されるようにＯＮ状態となるが、電源が供給されていないため前記復帰駆動手段２０３が作動しないため、前記第１の移動部材２１１および前記第２の移動部材２１２は図２１に示されるように移動した場所にとどまり前記位置検出センサーは検知可能な状態を維持する。
【０１２９】
上述したように前記鍵のロック機構５０が不正に開錠されその後施錠されると前記第２の移動部材２１２が退避することにより、図２１に示されるように前記位置検出センサーによって検知可能な状態となっているので、翌朝電源供給が切断されていたパチンコ遊技機に、開店前に電源が投入されると前記位置検出センサーの前記フォトセンサー受光部２２２によって受光検知される。
【０１３０】
正当な手順でパチンコ遊技機への電源が切断され、不正施錠されることなく再度電源が投入された場合は、前記位置検出センサーによって検知可能な状態となっていないため、前記フォトセンサー受光部２２２によって受光出力に基づき、前記判定回路によって営業時間外における不正施錠の可能性を判定し、パチンコ遊技機に備えられた報知手段９０によって報知するための信号を出力する。なお、異常報知がなされ従業員により遊技盤に配設された釘の不正操作および制御基板への不正改造への処置がなされた後、前記開閉扉９の鍵のロック機構５０において施錠動作されるとともに、前記開閉扉９の鍵のロック位置検出センサー５において施錠が検知されると、前記判定回路からの復帰駆動指令に基づき前記復帰駆動手段２０３が作動し、前記移動部材が定位置に戻り前記位置検出センサーにおいてＯＦＦ検知される。なお、不正施錠による異常報知の解除方法としては第１実施例に記載したタイマー回路を用いる。
【０１３１】
上記作用を奏する本第２実施例のパチンコ遊技機は、電源が切断された閉店後において、何者かによって、前記鍵のロック機構５０が不正に施錠されると、前記鍵のロック機構５０の施錠により前記第２の移動部材２１２が図中左右方向における右方に移動して退避することにより、翌朝電源投入後に前記位置検出センサーのフォトセンサー受光部２２２によって受光検知されるものであるため、夜間の電源切断時における前記鍵のロック機構５０の不正施錠を、非接触で確実に検知することが出来るという効果を奏する。
【０１３２】
また本第２実施例の遊技機は、翌朝および昼間の電源投入時において前記鍵のロック位置検出センサー５が、前記鍵機構の施錠を検知して出力が出されているときは、前記判定回路が、前記移動部材が移動している場合には前記復帰駆動手段２０３に復帰駆動指令を出力するので、翌朝電源投入時において前記移動部材を確実に定位置に復帰させて不正施錠を検知できるようにするとともに、昼間の営業時間中には前記鍵のロック位置検出センサー５が、前記鍵のロック機構５０の施錠を検知して前記復帰駆動手段２０３に復帰駆動指令を出力するので、昼間の営業時間中に従業員が行う遊技機の前記鍵のロック機構５０の開施錠動作を伴う点検業務を円滑なものとするという効果を奏する。
【０１３３】
さらに、本第２実施例のパチンコ遊技機は、夜間における前記鍵のロック機構５０の施錠動作に応じて移動した前記移動部材の位置を、翌朝電源投入がされた後、前記位置検出センサーによって、定位置にあるのか、移動した位置にあるのかを検出して、前記位置検出センサーの出力に基づき判定回路により前記鍵のロック機構５０の施錠判定をするので、かかる判定に基づき遊技盤に配設された釘への不正操作および制御基板の不正改造に対する処置を可能するという効果を奏する。
【０１３４】
また、本第２実施例のパチンコ遊技機は、前記移動機構および前記復帰駆動手段２０３が、前記開閉扉９および遊技盤本体２００を揺動自在に支持する前記ヒンジ部１０２側の逆側に前記外枠１０１の後方に配設された前記中空状の固定部材２５０の円筒状凹部に前記係合部材５６に対向して介挿されているので、前記第１実施例のような前記包囲部材１０９を用いるまでもなく不可視な構造とすることにより、不正施錠をした者の不正施錠検知を回避するための操作を阻止できるという効果を奏する。
【０１３５】
さらに、本第２実施例の遊技機においては、第１実施例で説明したタイマー回路を用いることにより、ホール従業員の前記解除スイッチ１１０その外の何らの操作を必要とすることなく、上述の異常報知を簡単且つ確実に解除することが出来るという効果を奏する。
【０１３６】
上述の実施例は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【０１３７】
上述の実施例は、一例としてパチンコ遊技機について説明したが、本発明としてはそれらに限定されるものでは無く、パチンコ遊技機に限らず、外枠および開閉扉を有する回胴式遊技機をはじめその他本発明を適用可能な遊技機等についても適用可能である。
【０１３８】
上述の第１実施例においては一例として鍵の施錠動作に連動して移動する移動部材と、移動部材の位置を検出する位置検出センサーと、位置検出センサーからの出力に基づき鍵の施錠を判定する判定回路とに加え、扉開閉検知手段と鍵のロック機構と、鍵のロック位置検出センサーと、電子ロック機構と、電子ロック検知手段および復帰駆動手段を備えている例について説明したが、本発明としてはそれらに限定されるものではなく、移動部材と位置検出センサーと判定回路のみが必須の構成要件であり、その他の構成については必要に応じて適宜組合わせればよい選択的構成要件である。
【０１３９】
また、上述の実施例では復帰駆動手段の作動契機として、一例として鍵のロック位置検出センサーにおける検知出力、解除スイッチ、電源切換検出手段またはおよびタイマー回路を用いたが、扉開閉検知手段またはおよび位置検出センサーにおける検知出力のみでも復帰駆動手段の作動契機とする構成としてもよいし、その他本発明の技術構成を満たす範囲内においては適宜選択して用いることができる。
【０１４０】
上述の第１実施例のパチンコ遊技機においては、一例として前記移動部材４０１の位置を検出するための前記位置検出センサー４０２として押圧検知センサーを用いた態様を、移動された前記移動部材４０１の位置を定位置に復帰させる前記復帰駆動手段４０３として前記ステッピングモーター４３２を用いた態様を、前記開閉扉９の開閉を検知する前記扉開閉検知手段４として押圧検知センサーを用いた態様を、前記開閉扉９の鍵のロック位置検出センサー５として押圧検知センサーを用いた態様を、前記開閉扉９の電子ロック機構６としてソレノイドを用いた態様を、前記電子ロック機構６のロック状態を検知する電子ロック検知手段７として押圧検知センサーを用いた態様を採用したが、本発明はこれらに限定されるものではなく前記復帰駆動手段４０３としてソレノイドを用いた態様または前記開閉扉９の電子ロック機構６としてモーター等を用いた態様や、さらには前記開閉扉９の開閉または開閉扉の鍵のロックまたは電子ロック状態または前記移動部材４０１の位置を検出するのに光学的フォトセンサーの他、磁気的センサーその他の物理的減少を利用した非接触式センセーおよび接触式センサーを用いた態様を採用することが出来る。
【０１４１】
また、第１実施例においては、前記報知手段９０が不正施錠が行われたことを報知する不正施錠報知状態および不正施錠が行われなかったことを報知する正常報知状態を実現したが、不正施錠報知状態を実現するのみもしくは正常報知状態を実現するのみの構成としてもよい。
【０１４２】
また、第１実施例における前記タイマー回路においては不正施錠による異常状態の自動解除までの時間を一例として１０分後と設定したが、前記異常状態の自動解除までの時間を２０分と設定するもしくは１０分を２０分に延長させるための手段を設けることが出来る。
また、前記タイマー回路を等価的に実現する手段としてサブ基板のＲＴＣを用いた構成とすることも出来る。
【０１４３】
また、前記鍵操作部５４においてレバー操作により前記鍵のロック機構５０の開施錠を実現する構成とすることも出来る。
【０１４４】
また、前記包囲部材は、前記移動部材に加え前記位置検出センサーおよび前記復帰駆動手段等も包囲するように適用可能であり、本発明の効果を実現するにあたり有効的に適宜活用できるものである。
【０１４５】
また、上述の第２実施例では一例として昼間の電源投入時の前記復帰駆動手段２０３の作動契機を前記開閉扉９の鍵のロック位置検出センサー５の検知状態としたが、本発明はこれに限定されるものではなく前記復帰駆動手段２０３の作動契機を前記扉開閉検知手段４とすることも出来る。なお、前記復帰駆動手段２０３の作動契機を前記扉開閉検知手段４とした場合には、前記扉開閉検知手段４における検知から一定時間経過した後に前記復帰駆動手段２０３の作動指令を出力する態様とすることが出来る。
【０１４６】
また、上述の第２実施例において、第１実施例と同様に不正施錠による異常状態を判定した際に前記報知手段９０等により報知することに加え、一定条件が満たされるまでの間は遊技の開始を阻止する制御を加えることも出来る。
【０１４７】
上述の実施例では、図７に示されるように前記解除スイッチが前記開閉扉またはおよび遊技盤本体が閉鎖されている状態においても操作可能な構成としたが、本発明においては前記解除スイッチを前記開閉扉またはおよび遊技盤本体が開放されている状態において操作可能な構成とすることもできる。  なお、前記開閉扉またはおよび遊技盤本体が開放されている状態において前記解除スイッチが操作されると、一例として５秒間が経過した後に前記復帰駆動手段へ復帰駆動指令を出力する構成とすることが可能であり、従業員は前記解除スイッチを操作して５秒以内に前記開閉扉またはおよび遊技盤本体を閉鎖させる。
【０１４８】
また、上述の第２実施例において、異常状態を解除する方法として第１実施例で示した解除スイッチまたはおよび電源切換検出手段を用いることも出来る。
【０１４９】
ここで、第１実施例または第２実施例における報知の方法については一例としてパチンコ遊技機に備えられた報知手段９０によって報知する例について説明したが、本発明はこれに限定されるものでなくパチンコ遊技機では報知されることなく、ホールの集中管理室または島データ表示装置等によって報知、もしくはこれらの組み合わせによって報知されるものであってもよい。
【０１５０】
上述の実施例においては、一例として前記枠体１０１および前記遊技盤本体１００に対する前記開閉扉９の鍵の不正施錠を検知する実施例を記載したが、不正施錠を検知する対象を前記遊技盤本体および前記開閉扉とするか、前記開閉扉のみとするかは、上述した不正施錠検知機構の配置を変えることにより容易に実現できるものであり、上述の第１実施例および第２実施例においてどちらの不正施錠を検知する構成とするかは選択的事項である。
【産業上の利用可能性】
【０１５１】
外枠および該外枠に対して開閉自在に配設された開閉扉および遊技盤本体を備えた遊技機において、前記開閉扉またはおよび遊技盤本体の鍵の施錠動作に基づき移動する移動部材と、前記移動部材の位置を検出して定位置にあるのか、移動した位置にあるのかを検出する位置検出センサーと、前記位置検出センサーの出力に基づき前記開閉扉またはおよび遊技盤本体の鍵の施錠を判定する判定回路を備えることにより、電源が供給されていない夜間における前記開閉扉またはおよび遊技盤本体の鍵の不正施錠および制御基板の不正改造を精確に検知するとともに、翌朝電源投入後に制御基板の不正改造に対する処置を可能にするという用途にも適用できる。
【図面の簡単な説明】
【０１５２】
【図１】本発明の第１実施例のパチンコ遊技機において、開閉扉を開放した時の斜視図である。
【図２】本第１実施例のパチンコ遊技機において、開閉扉の鍵の施錠時および開錠途中における移動部材周辺の部材の位置関係を示す部分拡大斜視図である。
【図３】本第１実施例のパチンコ遊技機において、開閉扉の鍵の開錠時における移動部材周辺の部材の位置関係を示す部分拡大斜視図である。
【図４】本第１実施例のパチンコ遊技機において、開閉扉の鍵の開錠後施錠途中における移動部材周辺の部材の位置関係を示す部分拡大斜視図である。
【図５】本第１実施例のパチンコ遊技機において、開閉扉の鍵の開錠後再び施錠された後における移動部材周辺の部材の位置関係を示す部分拡大斜視図である。
【図６】本第１実施例のパチンコ遊技機において、鍵のロック機構、開閉扉の鍵のロック位置検出センサーにおける開錠状態および施錠状態を示す部分拡大背面図である。
【図７】本第１実施例のパチンコ遊技機において、開閉扉、扉開閉検知手段、包囲部材を示す部分拡大斜視図である。
【図８】本第１実施例のパチンコ遊技機において、開放および閉鎖の各状態の開閉扉、扉開閉検知手段を示す部分拡大平面図および部分拡大側面図である。
【図９】本第１実施例のパチンコ遊技機において、開閉扉の電子ロック機構、電子ロック機構のロック状態を検知する電子ロック検知手段を示す部分拡大斜視図である。
【図１０】本第１実施例のパチンコ遊技機において、開閉扉の電子ロック機構、電子ロック機構のロック状態を検知する電子ロック検知手段におけるロック状態およびロック解除状態を示す部分拡大背面図である。
【図１１】本第１実施例および変形例のパチンコ遊技機において、不正施錠を検知し該不正施錠の報知および遊技の開始阻止制御を行い、これら不正施錠による異常状態を解除スイッチにより解除するときの制御ブロック図である。
【図１２】本第１実施例の変形例のパチンコ遊技機において、不正施錠を検知し該不正施錠の報知および遊技の開始阻止制御を行い、これら不正施錠による異常状態を解除スイッチにより解除するときのフローチャート図である。
【図１３】本第１実施例の変形例のパチンコ遊技機において、不正施錠を検知し該不正施錠の報知および遊技の開始阻止制御を行い、これら不正施錠による異常状態を電源切換検出手段により解除するときの制御ブロック図である。
【図１４】本第１実施例の変形例のパチンコ遊技機において、不正施錠を検知し該不正施錠の報知および遊技の開始阻止制御を行い、これら不正施錠による異常状態を電源切換検出手段により解除するときの簡略回路図である。
【図１５】本第１実施例の変形例のパチンコ遊技機において、不正施錠を検知し該不正施錠の報知および遊技の開始阻止制御を行い、これら不正施錠による異常状態を電源切換検出手段により解除するときの出力信号のタイムチャート図である。
【図１６】本第１実施例の変形例のパチンコ遊技機において、不正施錠を検知し該不正施錠の報知および遊技の開始阻止制御を行い、これら不正施錠による異常状態を電源切換検出手段により解除するときのフローチャート図である。
【図１７】本第１実施例の変形例のパチンコ遊技機において、不正施錠を検知し該不正施錠の報知および遊技の開始阻止制御を行い、これら不正施錠による異常状態をタイマー回路を用いて解除する制御ブロック図である。
【図１８】本第１実施例の変形例のパチンコ遊技機において、不正施錠を検知し該不正施錠の報知および遊技の開始阻止制御を行い、これら不正施錠による異常状態をタイマー回路を用いて解除するフローチャート図である。
【図１９】本第２実施例のパチンコ遊技機において、開閉扉の鍵の開錠前における移動部材の位置を示す部分拡大断面図である。
【図２０】本第２実施例のパチンコ遊技機において、開閉扉の鍵の開錠時における移動部材の位置を示す部分拡大断面図である。
【図２１】本第２実施例のパチンコ遊技機において、開閉扉の鍵の開錠後施錠された状態における移動部材の位置を示す部分拡大断面図である。
【図２２】本第２実施例のパチンコ遊技機において、開閉扉の鍵の開施錠後、復帰駆動手段により移動部材を図中右方位置に復帰させた状態を示す部分拡大断面図である。
【図２３】従来の第１の遊技機において、ソレノイドにより移動させて下扉の閉動作を阻止する前記移動部材を示す部分断面図である。
【図２４】従来の第２の遊技機において、レールに移動可能に取り付けられ、扉が開放されると移動する扉開放センサを示す部分断面図である。
【符号の説明】
【０１５３】
４０１  移動部材
４０２  位置検出センサー
４０３  復帰駆動手段
４  扉開閉検知手段
５  開閉扉の鍵のロック位置検出センサー
６  開閉扉の電子ロック機構
７  電子ロック機構のロック状態を検知する電子ロック検知手段
９  開閉扉
１００  遊技盤本体
１０１  枠体
【図１】
2010029322.tif 000003
【図２】
2010029322.tif 000004
【図３】
2010029322.tif 000005
【図４】
2010029322.tif 000006
【図５】
2010029322.tif 000007
【図６】
2010029322.tif 000008
【図７】
2010029322.tif 000009
【図８】
2010029322.tif 000010
【図９】
2010029322.tif 000011
【図１０】
2010029322.tif 000012
【図１１】
2010029322.tif 000013
【図１２】
2010029322.tif 000014
【図１３】
2010029322.tif 000015
【図１４】
2010029322.tif 000016
【図１５】
2010029322.tif 000017
【図１６】
2010029322.tif 000018
【図１７】
2010029322.tif 000019
【図１８】
2010029322.tif 000020
【図１９】
2010029322.tif 000021
【図２０】
2010029322.tif 000022
【図２１】
2010029322.tif 000023
【図２２】
2010029322.tif 000024
【図２３】
2010029322.tif 000025
【図２４】
2010029322.tif 000026